(57)【要約】      （修正有）【課題】表示器の電源がオフの状態にある時、消費電力の無駄な使用がない。【解決手段】交直流変換器と、電圧調節器と、遅延回路と、遅延回路からの電流の電圧が第１のレベルにある時、電流を通過させて電圧調節器を作動させ、遅延回路からの電流の電圧が第２のレベルにある時、電流を通過させず電圧調節器を作動させない制御手段と、電圧調節器から第１のレベルの直流電力を受けると、作動して電圧を第１のレベルに維持すると共に表示器への電源供給をオンの状態にさせる処理器と、押圧されると、トリガ信号を処理器に出力する電子式スイッチとからなる。表示器の電源がオンの状態にある時、電子式スイッチが押圧されると、トリガ信号を処理器に出力して維持を解除し、第１のレベルの電圧を第２のレベルに変換させて表示器の電源をオフの状態にさせ、また、電子式スイッチが再び押圧されると、第２のレベルの電圧を第１のレベルに戻すと共に、トリガ信号を処理器に出力して第１のレベルの電圧を維持すると共に表示器の電源をオンの状態にさせる。【選択図】図３
0003101962.tif 000002
【実用新案登録請求の範囲】
【請求項１】
外部からの交流電力を直流電力に変換して出力する交直流変換器と、
前記交直流変換器からの直流電力を受けると、作動されて前記直流電力の電圧を調節して出力する電圧調節器と、
前記交直流変換器と前記電圧調節器との間に連接している遅延回路と、
前記遅延回路と前記電圧調節器との間に設けられていて、前記遅延回路からの電流の電圧が第１のレベルにある時、電流を通過させて前記電圧調節器を作動させ、前記遅延回路からの電流の電圧が第２のレベルにある時、電流を通過させなく前記電圧調節器を作動させない制御手段と、
その入力ポートが前記電圧調節器の出力端と連接し、出力ポートが前記遅延回路を介して前記制御手段と連接しており、且つ前記電圧調節器からの前記第１のレベルにおける直流電力を受けると、作動されて電圧を該第１のレベルに維持すると共に表示器への電源供給をオンの状態にさせる処理器と、
前記処理器と前記遅延回路との間に連接していて、押圧されると、トリガ信号を前記処理器に出力する電子式スイッチとからなり、
且つ、前記表示器の電源が前記オンの状態にある時、前記電子式スイッチが押圧されると、前記トリガ信号を前記処理器に出力して前記維持を解除し、前記第１のレベルの電圧を前記第２のレベルに変換させて前記表示器の電源をオフの状態にさせ、また、前記電子式スイッチが再び押圧されると、前記第２のレベルの電圧を前記第１のレベルに戻すと共に、前記トリガ信号を前記処理器に出力して該第１のレベルの電圧を維持すると共に表示器の電源をオンの状態にさせることができるように整備されていることを特徴とする表示器用電力節約装置。
【請求項２】
前記第１のレベルは、ローレベルであり、前記第２のレベルは、前記第１のレベルより高いハイレベルであり、
前記電子式スイッチは、押圧された瞬間、前記トリガ信号を前記処理器に出力すると共に接地することを特徴とする請求項１に記載の表示器用電力節約装置。
【請求項３】
前記処理器は、非揮発性メモリーを備え、且つ、
表示器の電源状態を電源状態フラグで表示すると共に、該非揮発性メモリーに格納すること、
及び、前記電子式スイッチが押圧されると、前記電源状態フラグを前記表示器の電源がオンの状態であるオンと前記表示器の電源がオフの状態であるオフとの間に切り換えることができるように整備されていることを特徴とする請求項１に記載の表示器用電力節約装置。
【請求項４】
前記遅延回路は、抵抗器と、キャパシターとからなり、
前記抵抗器は、前記交直流変換器と連接している入力端と、前記制御手段と連接している出力端とを有し、
前記キャパシターは、その一端が前記制御手段、前記電子式スイッチ及び前記処理器とそれぞれ連接し、他端が接地されていることを特徴とする請求項２に記載の表示器用電力節約装置。
【請求項５】
前記電圧調節器は、前記交直流変換器と連接している入力端と、前記処理器と連接している出力端と、前記制御手段としての制御端とを有することを特徴とする請求項４に記載の表示器用電力節約装置。
【請求項６】
前記制御手段として、トランジスターが使用されており、該トランジスターは、そのゲート電極が前記抵抗器の前記出力端と連接し、ソース電極とドレイン電極とが、それぞれ前記交直流変換器と前記電圧調節器と連接していることを特徴とする請求項４に記載の表示器用電力節約装置。
【請求項７】
請求項１〜６のいずれか一項の表示器用電力節約装置が設けられていることを特徴とする表示器。
【考案の詳細な説明】
【技術分野】
【０００１】
本考案は、表示器用電力節約装置及びそれを用いた表示器に関する。
【背景技術】
【０００２】
従来の表示器用の電力供給装置は、図１に示すように、外部からの例えば１１０Ｖまたは２２０Ｖの交流電力を例えば１２Ｖの直流電力に変換する交直流変換器１１と、交直流変換器１１からの１２Ｖの直流電力を例えば５Ｖの直流電力に調節する電圧調節器１２と、電圧調節器１２からの５Ｖの直流電力を受けて該５Ｖの直流電力の例えば表示カードなどの周辺装置１４への出力を制御する超小型処理器（マイクロプロセッサ）１３とを備えてなる。交直流変換器１１と電圧調節器１２との間には、機械式スイッチ１５が設けられている。機械式スイッチ１５を押圧することにより、交直流変換器１１と電圧調節器１２との間が導通されるか否か、即ち表示器の電源がオンの状態にあるかまたはオフの状態にあるかを制御することができる。
【０００３】
しかしながら、機械式スイッチは、交直流変換器１１と電圧調節器１２との間を導通する時、瞬間の大電流の入力による火花を生じ易いのみならず、長時間に使用された後、接点が酸化して接触不良になってしまうので、現状では機械式スイッチの代わりに電子式スイッチが多く使用されている。
【０００４】
図２に示すのは、電子式スイッチを使用した表示器の電力供給装置の例である。この例において、電子式スイッチ１６は超小型処理器１３と連接している。電子式スイッチ１６が押圧されると、トリガ信号が超小型処理器１３に出力され、超小型処理器１３の制御によって周辺装置１４への電力供給を切り換える。即ち、表示器の電源がオンの状態にあって周辺装置１４へ電力が供給されている時に、電子式スイッチ１６が押圧されると、超小型処理器１３は前記トリガ信号に基づいて周辺装置１４への電力供給を止めて前記表示器の電源をオフの状態にさせ、また、電子式スイッチ１６が再び押圧されると、超小型処理器１３は前記トリガ信号に基づいて前記周辺装置１４への電力供給を回復して前記表示器の電源をオンの状態にさせる。
【０００５】
このような電子式スイッチを使用した電力供給装置は、前記表示器の電源がオフの状態にあっても、トリガ信号を受信するために、前記超小型処理器１３への電力供給が随時に保持されているので、電力の無駄な消費となる。
【０００６】
この外、電力が一旦中断（停電）されてから回復した時、電子式スイッチは機械式スイッチと異なって電源状態を記憶する機能がないので、停電前に表示器の電源がオンの状態にあれば、その後電力が回復しても、それ自体がオンの状態に復帰できず、再び前記電子式スイッチを押圧して表示器の電源をオンの状態に回復させる必要があるという問題もある。
【考案の開示】
【考案が解決しようとする課題】
【０００７】
上記に鑑みて、本考案は、電子式スイッチが使用されているが、表示器の電源がオフの状態にある時、前記消費電力の無駄な使用がない表示器用電力節約装置及びそれを用いた表示器を提供することを第１の課題とする。
【０００８】
さらに、電力が突然に中断されてから回復した後、表示器の電源状態が電力中断前の状態に自動的に回復することができる表示器用電力節約装置及びそれを用いた表示器を提供することを第２の課題とする。
【課題を解決するための手段】
【０００９】
前記課題を達成するために、考案者は、まず、外部からの交流電力を直流電力に変換して出力する交直流変換器と、前記交直流変換器からの直流電力を受けると、作動されて前記直流電力の電圧を調節して出力する電圧調節器と、前記交直流変換器と前記電圧調節器との間に連接している遅延回路と、前記遅延回路と前記電圧調節器との間に設けられていて、前記遅延回路からの電流の電圧が第１のレベルにある時、電流を通過させて前記電圧調節器を作動させ、前記遅延回路からの電流の電圧が第２のレベルにある時、電流を通過させなく前記電圧調節器を作動させない制御手段と、その入力ポートが前記電圧調節器の出力端と連接し、出力ポートが前記遅延回路を介して前記制御手段と連接しており、且つ前記電圧調節器からの前記第１のレベルにおける直流電力を受けると、作動されて電圧を該第１のレベルに維持すると共に表示器への電源供給をオンの状態にさせる処理器と、前記処理器と前記遅延回路との間に連接していて、押圧されると、トリガ信号を前記処理器に出力する電子式スイッチとからなり、且つ、前記表示器の電源が前記オンの状態にある時、前記電子式スイッチが押圧されると、前記トリガ信号を前記処理器に出力して前記維持を解除し、前記第１のレベルの電圧を前記第２のレベルに変換させて前記表示器の電源をオフの状態にさせ、また、前記電子式スイッチが再び押圧されると、前記第２のレベルの電圧を前記第１のレベルに戻すと共に、前記トリガ信号を前記処理器に出力して該第１のレベルの電圧を維持すると共に表示器の電源をオンの状態にさせることができるように整備されていることを特徴とする表示器用電力節約装置を提供する。
【００１０】
それにより、表示器の電源がオンの状態にある場合、前記制御手段に入る電流の電圧がいつも第１のレベルに維持され、表示器の電源がオフの状態にある場合、前記制御手段に入る電流の電圧が第２のレベルになるので、前記電圧調節器が作動されず、前記処理器へ電流を流すことができないようになる。
【００１１】
即ち、この構成による表示器用電力節約装置は、表示器に設けられた場合、前記表示器の電源がオフの状態にある時、前記処理器に電力が供給されていないので、消費電力の無駄な使用がなく、電力を節約する効果を達することができる。
【００１２】
そして、前記処理器は、非揮発性メモリーを備え、且つ、表示器の電源状態を電源状態フラグで表示すると共に、該非揮発性メモリーに格納すること、及び、前記電子式スイッチが押圧されると、前記電源状態フラグを前記表示器の電源がオンの状態であるオンと前記表示器の電源がオフの状態であるオフとの間に切り換えることができるように整備されていることが好ましい。
【００１３】
それにより、前記処理器に表示器の電源状態が記憶されているので、停電後に電力の供給が回復すると、処理器は、記憶した電源状態に基づいて周辺装置へ電力を供給するか否かを決定し、例えば停電前に前記表示器の電源がオンの状態にあれば、復電後に処理器が周辺装置への電力供給を行わせると共に電圧を第１のレベルに維持し、停電前に前記表示器の電源がオフの状態にあれば、復電後に処理器が周辺装置への電力供給を行わせずに電圧を第２のレベルに変換させると共に、電圧調節器から処理器自身への電力供給をなくすことができる。
【００１４】
なお、前記表示器用電力節約装置に基づき、考案者は、さらに前記表示器用電力節約装置が設けられている表示器を提供する。この表示器は、電源がオフの状態にある場合、処理器にも処理器の周辺装置にも電力が供給されていないので、電力を節約することができる。
【考案の効果】
【００１５】
前記構成による表示器用電力節約装置及びそれを用いた表示器は、表示器の電源がオフの状態にある場合、前記処理器にも電力が供給されていないので、電力の浪費がなく、電力を節約する効果を達することができる。
【考案を実施するための最良の形態】
【００１６】
以下、本考案の好ましい実施形態を詳しく説明する。なお、以下の説明においては、そのサイズに拘わらず、略同一の機能及び構成を有する構成要素については、同一符号を付し、重複説明は必要な場合にのみ行う。
【００１７】
図３は、本考案の表示器用電力節約装置及びそれを用いた表示器の第１の実施形態を示すブロック図である。図示のように、この表示器用電力節約装置３は、交直流変換器３１と、電圧調節器３２と、交直流変換器３１と電圧調節器３２との間に連接している遅延回路３３と、電圧調節器３２からの電力を受ける処理器３４と、処理器３４と遅延回路３３との間に連接している電子式スイッチ３５と、遅延回路３３と電圧調節器３２との間に設けられている制御手段（後述）とからなっている。
【００１８】
更に詳しく説明すると、交直流変換器３１は、外部からの交流電力（ＡＣ）を直流電力（ＤＣ）に変換して出力する。電圧調節器３２は、交直流変換器３１からの直流電力を受けると、作動されて前記直流電力の電圧を所望の電圧に調節して出力する。本実施形態において、電圧調節器３２は、交直流変換器３１と連接している入力端（Ｖｉｎ）と、処理器３４と連接している出力端（ＦＢ）と、前記制御手段としての制御端（ＳＨＤＮ）とを有する。前記制御端（ＳＨＤＮ）は、遅延回路３３からの電流の電圧が第１のレベルにある時、電流を通過させることにより、電圧調節器３２を作動させて電圧の調節及び出力を行い、遅延回路３３からの電流の電圧が第２のレベルにある時、電流を通過させずに電圧調節器３２を作動させず、即ち電圧調節器３２に電圧の調節及び出力が行われないように機能している。
【００１９】
本実施形態において、前記第１のレベルは、ローレベルであり、前記第２のレベルは、前記第１のレベルより高いハイレベルである。
【００２０】
そして、遅延回路３３は、抵抗器（Ｒ）と、キャパシター（Ｃ）とからなっている。前記抵抗器（Ｒ）は、交直流変換器３１と連接している入力端３３１と、前記制御手段としての制御端（ＳＨＤＮ）と連接している出力端３３２とを有する。前記キャパシター（Ｃ）は、その一端が前記抵抗器（Ｒ）の出力端３３２、電子式スイッチ３５及び前記処理器３４とそれぞれ連接し、他端が接地されている。
【００２１】
処理器３４は、その入力ポート３４１が電圧調節器３２の出力端（ＦＢ）と連接し、出力ポート３４２が遅延回路３３を介して電圧調節器３２の制御端（ＳＨＤＮ）と連接しており、且つ電圧調節器３２からの前記ローレベルにおける直流電力を受けると、作動されて電圧を該ローレベルに維持すると共に表示器への電源供給をオンの状態にさせる。
【００２２】
本実施形態では、処理器３４として、超小型処理器が使用されている。また、処理器３４は、非揮発性メモリー３４３を備え、且つ、表示器の電源状態を電源状態フラグで表示すると共に、非揮発性メモリー３４３に格納すること、及び、電子式スイッチ３５が押圧されると、前記電源状態フラグを前記表示器の電源がオンの状態であるオンと前記表示器の電源がオフの状態であるオフとの間に切り換えることができるように整備されている。
【００２３】
そして、電子式スイッチ３５は、押圧されると、トリガ信号を処理器３４に出力すると共に接地する。
【００２４】
以下、表示器用電力節約装置３によって表示器へ電力を供給する時の動作を説明する。まず、外部からの例えば１１０Ｖまたは２２０Ｖの交流電力が交直流変換器３１に例えば１２Ｖの直流電力に変換された後、遅延回路３３を経由して電圧調節器３２の入力端（Ｖｉｎ）及び前記制御端（ＳＨＤＮ）に入る。前記制御端（ＳＨＤＮ）に入る電流は遅延回路３３の抵抗器（Ｒ）を通過するので、調節されてローレベルの電圧になった後、始めて電圧調節器３２の前記制御端（ＳＨＤＮ）に入力する。この時、制御端３に入った電流の電圧がローレベルであるので、電圧調節器３２が作動され、入力端１から入力した前記１２Ｖの直流電力を５Ｖの直流電力に調節して処理器３４へ出力し、処理器３４が電圧調節器３２からの前記ローレベルにおける直流電力を受けると、作動されて非揮発性メモリー３４３に格納した電源状態フラグを読み出し、該電源状態フラグに基づいて遅延回路３３のキャパシター（Ｃ）が充電するか否かを制御する。
【００２５】
例えば、前記電源状態フラグがオンにあれば、前記処理器３４は、電圧を該ローレベルに維持し、すなわち前記キャパシター（Ｃ）の充電が行われないと共に、周辺装置（図示せず）へ電力の供給を制御して表示器の電源をオンの状態にさせる。前記電源状態フラグがオフにあれば、処理器３４は、前記キャパシター（Ｃ）の充電により前記ローレベルの電圧をハイレベルに変換させ、この時、電圧調節器３２の制御端（ＳＨＤＮ）に入った電流の電圧がハイレベルであるので、電圧調節器３２が作動されず、処理器３４へ電流を流すことができず表示器の電源をオフの状態にさせる。
【００２６】
また、前記表示器の電源が前記オンの状態にある時、即ち電流が電圧調節器３２から処理器３４へ流れる時、電子式スイッチ３５が押圧されると、処理器３４は電子式スイッチ３５からのトリガ信号に基づいて非揮発性メモリー３４３に格納した電源状態フラグを読み出し、該電源状態フラグをオンからオフに切り換えた後、前記ローレベルの維持を解除し、前記キャパシター（Ｃ）の充電により前記ローレベルの電圧を前記ハイレベルに変換させて前記表示器の電源をオフの状態になる。
【００２７】
また、この時、電子式スイッチ３５が再び押圧されると、電子スイッチ３５の瞬間的な接地により放電して前記ハイレベルの電圧を前記ローレベルに戻し、電圧調節器３２から処理器３４への電流の流動を回復し、処理器３４の制御により電圧を該ローレベルに維持してから、電子式スイッチ３５からのトリガ信号に基づいて非揮発性メモリー３４３に格納した電源状態フラグをオフからオンに切り換えると共に表示器の電源をオンの状態にさせる。
【００２８】
即ち、表示器の電源がオンの状態にある場合、前記制御端（ＳＨＤＮ）に入る電流の電圧がいつもローレベルに維持され、表示器の電源がオフの状態にある場合、前記制御端（ＳＨＤＮ）に入る電流の電圧が第２のレベルになるので、電圧調節器３２が作動されず、処理器３４へ電流を流すことができないようになる。
【００２９】
それにより、前記表示器の電源がオフの状態にある時、処理器３４に電力が供給されていないので、消費電力の無駄な使用がなく、電力を節約する効果を達することができる。また、非揮発性メモリー３４３に表示器の電源状態フラグが記憶されているので、停電後に電力の供給が回復すると、処理器３４は、先に、記憶した電源状態フラグを読み出し、該電源状態フラグに基づいて電圧をローレベルかまたはハイレベルかに維持することを決定するので、表示器の電源状態が電力中断前の状態に回復することができる。
【００３０】
図４は、本考案の表示器用電力節約装置及びそれを用いた表示器の第２の実施形態を示すブロック図である。この第２の実施形態の前記第１の実施形態と異なる点は、前記制御端（ＳＨＤＮ）の代わりに前記制御手段としてトランジスター３６が使用されている。詳細に説明すると、電圧調節器３２の制御端（ＳＨＤＮ）が接地されている。トランジスター３６は、そのゲート電極が前記抵抗器（Ｒ）の出力端３３２と連接し、ソース電極とドレイン電極とが、それぞれ交直流変換器３１と電圧調節器３２の入力端（Ｖｉｎ）と連接している。また、トランジスター３６は、前記ゲート電極に入る電流の電圧が第１のレベルにある時、前記ソース電極と前記ドレイン電極との間が導通されて電流を交直流変換器３１から電圧調節器３２に通過させて電圧調節器３２を作動させ、電圧の調節及び出力を行い、前記ゲート電極に入る電流の電圧が第２のレベルにある時、前記ソース電極と前記ドレイン電極との間が導通されずに、電圧調節器３２を作動させないように機能する。本実施形態において、電圧調節器３２の制御端がなんらの作用を有しないので、制御端を有しない電圧調節器を使用してもよい。
【産業上の利用可能性】
【００３１】
本考案の表示器用電力節約装置及びそれを用いた表示器は、電子式スイッチを使用するが、表示器の電源がオフの状態にある時、処理器にも処理器の周辺装置にも電力が供給されていないので、電力の浪費がなく、電力を節約する効果を達することができる。また、停電などにより電力が突然に中断されてから回復した後、表示器の電源状態が電力中断前の状態に自動的に回復することもできる。
【００３２】
以上説明した実施の形態は、あくまでも本考案の技術的内容を明らかにする意図のものにおいてなされたものであり、本考案はそうした具体例に限定して狭義に解釈されるものではなく、本考案の精神とクレームに述べられた範囲で、いろいろと変更して実施できるものである。
【図面の簡単な説明】
【００３３】
【図１】従来の機械式スイッチを使用した表示器用の電力供給装置を示すブロック図である。
【図２】従来の電子式スイッチを使用した表示器用の電力供給装置を示すブロック図である。
【図３】本考案の表示器用電力節約装置及びそれを用いた表示器の第１の実施形態を示すブロック図である。
【図４】本考案の表示器用電力節約装置及びそれを用いた表示器の第２の実施形態を示すブロック図である。
【符号の説明】
【００３４】
３      表示器用電力節約装置
３１    交直流変換器
３２    電圧調節器
３３    遅延回路
３４    処理器
３４１  入力ポート
３４２  出力ポート
３４３  非揮発性メモリー
３５    電子式スイッチ
【図１】
0003101962.tif 000003
【図２】
0003101962.tif 000004
【図３】
0003101962.tif 000005
【図４】
0003101962.tif 000006